(57)【要約】      （修正有）【課題】日用品・食品などを手軽に収納できて広範な利用に供せられ、抗菌・消臭機能を発揮することにより細菌の増殖を抑えて食品等を衛生的に収納できるバスケットを提供する。【解決手段】主原料のポリプロピレンを溶解した同一窯内に抗菌剤及び染料を混合溶解して得られたものを素材として中空管状の可撓性糸状物４を形成する。この糸状物を編み込んで底面、周壁、上縁からなるバスケットを構成する。【選択図】図２
0003192672.tif 000002
【実用新案登録請求の範囲】
【請求項１】
ポリプロピレンを主原料とする中空管状の可撓性糸状物を構成材となし、該可撓性糸状物を編み込んで底面、周壁、上縁を形成して本体としたバスケットであって、可撓性糸状物が、主原料の前記ポリプロピレンを溶解した同一窯内に抗菌剤及び染料を投入混合して素材となし、該素材を成型して得られたものであることを特徴とするバスケット。
【考案の詳細な説明】
【技術分野】
【０００１】  本考案は全体が抗菌性に優れ、食品などを衛生的に収納できるバスケットに関する。
【背景技術】
【０００２】  日用品・装飾品などを手軽に収納できるバスケット・籠類は、古くから竹、蔦のような天然材料を用いて職人の手によって編まれてきた歴史があるが、大量生産の時代に入り合成樹脂を素材として自動化されてきたことによってそれなりの効果を果たしているとはいえ、反動としての問題点も浮上してきている。【０００３】  例えば下記特許文献１に記載の籠は合成樹脂で成型された骨組みの一部又は全部に、籐・竹などの植物性の可撓性を有する条材を編み込んだもので、合成樹脂だけの籠に比べて美感にすぐれるということを趣旨としている。【０００４】  また特許文献２の編み籠は、中空管状縁部により両側縁が縁取られた可撓性合成樹脂よりなる帯状薄板をもって籠主体を構成し、針金などの補強骨材を多く使用しないでも温度変化に耐えて長期間にわたり変形することがないことを特徴としている。【０００５】  更に特許文献３の籠は、屈曲自在の線状素材を懸け綴り編むことにより蜂の巣状を形成する編み加工品としたもので、従来にない特異な編み方により美術的技術的に優れた籠を提供することを目的としている。【０００６】  しかして特許文献４には、表面がフッ素樹脂層により覆われていることを特徴とする生ごみ投入用網籠が開示されている。すなわち従来の網籠はゴミをその中に放置しておくと腐敗によって内外面にヌメリが発生しやすくなり、水きり度合いも衛生度も低下するが、フッ素樹脂による表面加工を施したことでヌメリの除去を容易にすることができるというものである。
【先行技術文献】
【特許文献】
【０００７】
【特許文献１】特開平９−２６７８３０号公報
【特許文献２】実開平６−９５６３号公報
【特許文献３】実用新案登録第３１２９２２７号公報
【特許文献４】特開平８−１５８４４１号公報
【考案の概要】
【考案が解決しようとする課題】
【０００８】  前記した特許文献に記載された籠は、いずれもその目的達成に有効な手段をとるものと認められるが、特許文献１のものは合成樹脂の骨組材に可撓性の条材を編み込むという新規な手段を取り入れる必要があってその分製作手数がかかり、特許文献２のものは可撓性合成樹脂の帯状薄板によって籠主体を形成するという言わば帯状薄板を要件とするため籠の形態に重厚感が欠ける憾みがある。また特許文献３のように蜂の巣状を形成した籠は美的技術的に優れるとは言え特異な編み方をするため用途によっては馴染まないという懸念がある。そして特許文献４の網籠は生ごみ用として衛生上優れるが日用品などの収納用に不向きであることは否めない。【０００９】  本考案は上記したような従来技術とは異なり籠の形態には拘束されず、日用品・食品・装飾品などを手軽に収納できて広範な利用に供せられ、特別な製作手数をかけることなく得られるため安価量産に好適し、なかんずく嘗てない抗菌・消臭機能を発揮することにより食品等を衛生的に収納し、乳幼児がいても安心して取り扱いできる清潔この上ないバスケットを提供することを意図している。
【課題を解決するための手段】
【００１０】  すなわち本考案は、熱可塑性合成樹脂を主原料とする中空管状の可撓性糸状物を構成材となし、該可撓性糸状物を編み込んで底面、周壁、上縁を形成して本体としたバスケットであって、前記可撓性糸状物が、主原料のポリプロピレンを溶解した同一窯内に抗菌剤及び染料を投入混合して素材となし、該素材を成型して得られたものであることを特徴としている。
【考案の効果】
【００１１】  ポリプロピレンの中に投入した抗菌剤が優れた抗菌・消臭機能を発揮するものであるから、これを素材として得られた中空管状の可撓性糸状物で形成されたバスケットは、底面、周壁、上縁の全てにわたって抗菌・消臭効果をもたらす。したがって食品や衛生用品などを収納した場合において、抗菌機能が働くことで人体に有害な各種細菌の増殖を抑えることができて食品等の安全が担保され、それにより健康上の悪影響を未然に防止できる。【００１２】  抗菌剤を混合したポリプロピレンは可撓性合成樹脂材として通常の編み機によって普通にバスケットを構成するものであって大きさ・色合い・形状などに限定はなく、あらゆる形態に具現できて作業能率に支障を生じることもなく、特別の製作手数もかからないうえ素材特有の堅牢強靭性もあって長期使用にも耐えられ、しかも安価量産に好適する。
【図面の簡単な説明】
【００１３】
【図１】本案バスケットの一例を示す概略図である。
【図２】本体を形成する糸状物の概略図である。
【図３】本案バスケットの製造過程を示すブロック図である。
【考案を実施するための形態】
【００１４】  図１はバスケット全体の概略を示すもので、本体が底面１と周壁２及び上縁３で構成され、この底面１と周壁２上縁３は同一径で中空管状の可撓性糸状物４を編み込んで形成したものであるから全体的には通常のものと外観上大差はないが、同一糸状物で統一されている点が特徴となっている。図では楕円形であるが角形・丸形でもよく、本体の上に蓋を取り付けたり手提げ式にするなどは想定内の形態であって、編み方によって無数の編み目が形成され全体が竹編み細工のような風雅な外観を呈する。
【００１５】  図２は本体を構成する前記可撓性糸状物４の一例を示すもので、この糸状物４はポリプロピレン等の合成樹脂チップを溶解した中に抗菌剤・染料を投入し混合して素材としたものを竹編み細工のように成型して得られる。ポリプロピレンがこの種バスケットを形成する素材として可撓性強靭性を有し広く利用されていることは知られているが、抗菌・消臭性における目立った機能を備えていないところ、前記抗菌剤を混合したことによって既存の製品とは比較にならないそれらの機能を持った新規なバスケットが得られる。
【００１６】  図３は抗菌剤を備えた本案バスケットの製造工程一例を示すもので、すなわちＡは窯５内にＥＶＡ（２９％）を含むポリプロピレン（６９％）６のチップを投入したのち、窯５を２００°Ｃ程度に熱してポリプロピレン６を溶解し、同一窯内に抗菌剤７（約１．５重量％）を投入して混合する工程である。この抗菌剤７を投入する工程において赤・青・黄などの各種染料８を選定混合してバスケットの用途に応じた色合いを持たせるようにする。
【００１７】  Ｂは前記工程において得られたポリプロピレン・抗菌剤・染料からなる素材を成型する工程を示し、ここで成型されたものがノズル９より押し出しされて中空管状の可撓性糸状物４となる。そしてこの可撓性糸状物４は、構成材として次の工程Ｃの編み機にかけられ、底面・周壁・上縁からなる編み状の本体として形成されバスケットが完成する。
【００１８】  上記のとおり本案バスケットは、底面１、周壁２、上縁３の全てにわたって優れた抗菌機能を発揮するものであるが、それらを構成する可撓性糸状物４は中空管状で編み機に掛けたときに所期するとおりの編み模様を形成して美感にも優れる体裁を備えるとともに、糸状物は同一径で統一されているためバスケットはいずれの部位も同じ手触りで然も強靭性を有し、長期にわたり安心・安全に使用できる実益がある。
【符号の説明】
【００１９】１    底面
２    周壁
３    上縁
４    可撓性糸状物
５    窯
６    ポリプロピレン
７    抗菌剤
８    染料
【図１】
0003192672.tif 000003
【図２】
0003192672.tif 000004
【図３】
0003192672.tif 000005